(57)【要約】【課題】飛行性能に優れたゴルフボール１の提供。【解決手段】ディンプル４は、中央凸部７、凹陥部８、側壁部９及びエッジ近傍部１０を備えている。このディンプル４は、下記数式（Ｉ）を満たす。Ｒ−Ｆ１  ＜  Ｒ１  ＜  ２・（Ｒ−Ｆ１）          （Ｉ）この数式（Ｉ）において、Ｒはゴルフボール１の仮想球６の半径を表し、Ｆ１は仮想球面とディンプル中心Ｐ１との距離を表し、Ｒ１は中央凸部７の曲率半径を表す。このディンプル４は、下記数式（ＩＩ）を満たす。２．０  ≦  Ｒ１／Ｒ２  ≦  ８．０          （ＩＩ）この数式（ＩＩ）において、Ｒ２は側壁部９の曲率半径を表す。中央凸部７を備え、上記数式（Ｉ）及び数式（ＩＩ）を満たすディンプルの数の、ディンプル総数に占める比率は、５０％以上である。【選択図】  図４
2005006755.tif 000002
【特許請求の範囲】
【請求項１】
その表面に多数のディンプルを備えており、
中央凸部を備えかつ下記数式（Ｉ）を満たすディンプルの数の、ディンプル総数に占める比率が５０％以上であるゴルフボール。
Ｒ−Ｆ１  ＜  Ｒ１  ＜  ２・（Ｒ−Ｆ１）          （Ｉ）
（上記数式（Ｉ）においてＲはゴルフボール仮想球の半径を表し、Ｆ１は仮想球面とディンプル中心との距離を表し、Ｒ１は中央凸部の曲率半径を表す。）
【請求項２】
中央凸部を備え、上記数式（Ｉ）を満たし、かつ下記数式（ＩＩ）を満たすディンプルの数の、ディンプル総数に占める比率が５０％以上である請求項１に記載のゴルフボール。
２．０  ≦  Ｒ１／Ｒ２  ≦  ８．０          （ＩＩ）
（上記数式（ＩＩ）においてＲ１は中央凸部の曲率半径を表し、Ｒ２は側壁部の曲率半径を表す。）
【発明の詳細な説明】
【０００１】
【発明の属する技術分野】
本発明は、ゴルフボールに関する。詳細には、本発明は、ディンプルの断面形状の改良に関する。
【０００２】
【従来の技術】
ゴルフボールは、その表面に多数のディンプルを備えている。ディンプルの役割は、飛行時のゴルフボール周りの空気の流れを乱すことによって乱流剥離を起こさせることにある。乱流剥離によって空気のゴルフボールからの剥離点が後方に下がり、抗力係数（Ｃｄ）が小さくなる。乱流剥離によってバックスピンに起因するゴルフボールの上側と下側とにおける剥離点の差が助長され、ゴルフボールに作用する揚力が高められる。抗力の低減と揚力の向上とによって、ゴルフボールの飛距離が増大する。空力的に優れたディンプルは、乱流剥離を促進する。換言すれば、空力的に優れたディンプルは、空気の流れをよりよく乱しうる。
【０００３】
飛行性能向上を意図したディンプル断面形状の改良が、種々提案されている。特開平２−６８０７７号公報、特開平２−２９５５７３号公報及び特開平８−２３８３３６号公報には、中央に凸部を備えたディンプルが開示されている。特開平９−７０４４９号公報には、所定形状のダブルラジアスディンプルを備えたゴルフボールが開示されている。
【０００４】
【特許文献１】
特開平２−６８０７７号公報
【特許文献２】
特開平２−２９５５７３号公報
【特許文献３】
特開平８−２３８３３６号公報
【特許文献４】
特開平９−７０４４９号公報
【０００５】
【発明が解決しようとする課題】
ゴルファーのゴルフボールに対する最大の関心事は、飛距離である。飛距離向上の観点から、ディンプルの断面形状には改良の余地がある。本発明の目的は、ゴルフボールの飛行性能の向上にある。
【０００６】
【課題を解決するための手段】
本発明に係るゴルフボールは、表面に多数のディンプルを備えている。中央凸部を備えかつ下記数式（Ｉ）を満たすディンプルの数の、ディンプル総数に占める比率は、５０％以上である。
Ｒ−Ｆ１  ＜  Ｒ１  ＜  ２・（Ｒ−Ｆ１）          （Ｉ）
この数式（Ｉ）においてＲはゴルフボール仮想球の半径を表し、Ｆ１は仮想球面とディンプル中心との距離を表し、Ｒ１は中央凸部の曲率半径を表す。このゴルフボールは、飛行性能に優れる。その理由は詳細には不明であるが、中央凸部を備えたディンプルにおいて小さな渦流が多数発生するためと推測される。
【０００７】
好ましくは、中央凸部を備え、上記数式（Ｉ）を満たし、かつ下記数式（ＩＩ）を満たすディンプルの数の、ディンプル総数に占める比率は、５０％以上である。
２．０  ≦  Ｒ１／Ｒ２  ≦  ８．０          （ＩＩ）
この数式（ＩＩ）においてＲ１は中央凸部の曲率半径を表し、Ｒ２は側壁部の曲率半径を表す。このディンプルでは、内部へ空気が円滑に流れ込む。このディンプルは、ゴルフボールの抗力低減に寄与する。
【０００８】
【発明の実施の形態】
以下、適宜図面が参照されつつ、好ましい実施形態に基づいて本発明が詳細に説明される。
【０００９】
図１は、本発明の一実施形態に係るゴルフボール１が示された一部切り欠き断面図である。このゴルフボール１は、球状のコア２と、カバー３とを備えている。カバー３の表面には、多数のディンプル４が形成されている。ゴルフボール１の表面のうちディンプル４以外の部分は、ランド５である。このゴルフボール１は、カバー３の外側にペイント層及びマーク層を備えているが、これらの図示は省略されている。
【００１０】
このゴルフボール１の直径は、通常は４０ｍｍから４５ｍｍ、さらには４２ｍｍから４４ｍｍである。米国ゴルフ協会（ＵＳＧＡ）の規格が満たされる範囲で空気抵抗が低減されるという観点から、直径は４２．６７ｍｍ以上４２．８０ｍｍ以下が特に好ましい。このゴルフボール１の質量は、通常は４０ｇ以上５０ｇ以下、さらには４４ｇ以上４７ｇ以下である。ＵＳＧＡの規格が満たされる範囲で慣性が高められるという観点から、質量は４５．００ｇ以上４５．９３ｇ以下が特に好ましい。
【００１１】
コア２は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１２】
コア２の架橋には、通常は共架橋剤が用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１３】
ゴム組成物には、充填剤、硫黄、老化防止剤、着色剤、可塑剤、分散剤等の各種添加剤が、必要に応じて適量配合される。コア２に、架橋ゴム粉末又は合成樹脂粉末が配合されてもよい。
【００１４】
コア２の直径は、通常は３０．０ｍｍ以上４２．０ｍｍ以下、特には３８．０ｍｍ以上４１．５ｍｍ以下である。コア２が、２以上の層から構成されてもよい。
【００１５】
カバー３は、合成樹脂組成物から成形されている。カバー３の基材樹脂としては、アイオノマー樹脂、熱可塑性スチレンエラストマー、熱可塑性ポリウレタンエラストマー、熱可塑性ポリアミドエラストマー、熱可塑性ポリエステルエラストマー及び熱可塑性ポリオレフィンエラストマーが例示される。
【００１６】
カバー３には、必要に応じ、着色剤、充填剤、分散剤、酸化防止剤、紫外線吸収剤、光安定剤、蛍光剤、蛍光増白剤等が適量配合される。比重調整の目的で、カバー３にタングステン、モリブデン等の高比重金属の粉末が配合されてもよい。
【００１７】
カバー３の厚みは、通常は０．３ｍｍ以上６．０ｍｍ以下、特には０．６ｍｍ以上２．４ｍｍ以下である。カバー３が、２以上の層から構成されてもよい。
【００１８】
図２は図１のゴルフボール１が示された拡大平面図であり、図３はその正面図である。図２及び図３から明らかなように、全てのディンプル４の平面形状は円形である。図２では、ゴルフボール１の表面が１０個の等価なユニットに区画された場合の１個のユニットにおいて、符号ＡからＤによってディンプル４の種類が示されている。このゴルフボール１は、直径が４．１００ｍｍであるディンプルＡと、直径が３．６００ｍであるディンプルＢと、直径が３．４００ｍｍであるディンプルＣと、直径が３．２００ｍｍであるディンプルＤとを備えている。ディンプルＡの個数は１３２個であり、ディンプルＢの個数は１８０個であり、ディンプルＣの個数は６０個であり、ディンプルＤの個数は６０個である。このゴルフボール１におけるディンプル４の総数Ｎは、４３２個である。
【００１９】
図４は、図１のゴルフボール１の一部が示された拡大断面図である。この図には、ディンプル４の中心Ｐ１及びゴルフボール１の中心を通過する断面が示されている。図４において二点鎖線で示されているのは、仮想球６である。仮想球６の表面は、ディンプル４が存在しないと仮定されたときのゴルフボール１の表面である。ディンプル４は、仮想球６から凹陥している。ランド５は、仮想球６と一致している。仮想球６と中心Ｐ１との距離は、深さＦ１である。
【００２０】
図４において両矢印ｄ２で示されているのは、ディンプル４の直径である。この直径ｄ２は、ディンプル４の両側に共通の接線Ｔ２が画かれたときの、一方の接点Ｅｄと他方の接点Ｅｄとの距離である。接点Ｅｄは、ディンプル４のエッジでもある。エッジＥｄは、ディンプル４の平面形状を画定する。
【００２１】
ディンプル４は、中央凸部７、凹陥部８、側壁部９及びエッジ近傍部１０を備えている。中央凸部７は皿状であり、凹陥部８、側壁部９及びエッジ近傍部１０はリング状である。中央凸部７は、点Ｐ２よりも内側に位置している。中央凸部７には、中心Ｐ１が含まれる。側壁部９には、点Ｐ３及び点Ｐ４が含まれる。エッジ近傍部１０には、点Ｐ５及びエッジＥｄが含まれる。凹陥部８は、中央凸部７と側壁部９とを滑らかに連結している。
【００２２】
点Ｐ２は、ディンプル４の最深箇所である。接線Ｔ２と点Ｐ２との距離は、深さＳ２である。点Ｐ３は、エッジＥｄから（Ｓ２・０．８）の距離だけ下方の地点である。点Ｐ４は、エッジＥｄから（Ｓ２・０．２）の距離だけ下方の地点である。点Ｐ５は、エッジＥｄから（Ｓ２・０．１）の距離だけ下方の地点である。
【００２３】
図４において符号Ｔ１で示されているのは、両方の最深箇所に共通の接線である。接線Ｔ１は、点Ｐ２を通過する。接線Ｔ１と中心Ｐ１との距離は、高さＳ１である。接線Ｔ１と仮想球６との距離は、深さＦ２である。図４において符号ｄ１で示されているのは、中央凸部７の直径である。この直径ｄ１は、両側の点Ｐ２の間の距離でもある。
【００２４】
中央凸部７は、全体的として半径方向外向きに凸である。中央凸部７は、部分的に内向きに凸であってもよく、部分的に平坦であってもよい。中央凸部７の全ての地点において、曲面が外向きに凸であることが好ましい。側壁部９は、全体的として内向きに凸である。側壁部９は、部分的に外向きに凸であってもよく、部分的に平坦であってもよい。側壁部９の全ての地点において、曲面が内向きに凸であるのが好ましい。エッジ近傍部１０は、全体的として外向きに凸である。エッジ近傍部１０は、部分的に内向きに凸であってもよく、部分的に平坦であってもよい。エッジ近傍部１０の全ての地点において、曲面が外向きに凸であるのが好ましい。
【００２５】
図４において符号Ｒ１で示されているのは中央凸部７の曲率半径であり、符号Ｒ２で示されているのは側壁部９の曲率半径であり、符号Ｒ３で示されているのは凹陥部８の曲率半径であり、符号Ｒ４で示されているのはエッジ近傍部１０の曲率半径である。曲率半径Ｒ１は、一方の点Ｐ２と、中心Ｐ１と、他方の点Ｐ２の３点を通過する円弧が想定されたときのこの円弧の半径である。曲率半径Ｒ２は、点Ｐ３と、エッジＥｄから（Ｓ２・０．５）の距離だけ下方の点と、点Ｐ４との３点を通過する円弧が想定されたときのこの円弧の半径である。曲率半径Ｒ４は、点Ｐ５と、エッジＥｄから（Ｓ２・０．０５）の距離だけ下方の点と、エッジＥｄとの３点を通過する円弧が想定されたときのこの円弧の半径である。
【００２６】
図５は、図４のディンプル４が示された平面図である。このディンプル４では、流れ込む空気１１が中央凸部７によって一旦分流され、図中矢印で示されるように再度合流する。この分流及び合流により、ディンプル４の内部で小さな渦流が多数発生する。このような渦流は、図８に示された従来のディンプル１２では発生しにくい。渦流により乱流剥離が促進され、ゴルフボール１の飛距離が増大する。
【００２７】
図４及び図５に示されたディンプル４は、下記数式（Ｉ）を満たす。
Ｒ−Ｆ１  ＜  Ｒ１  ＜  ２・（Ｒ−Ｆ１）          （Ｉ）
この数式（Ｉ）において、Ｒはゴルフボール１の仮想球６の半径を表す。このディンプル４では、中央に凸部を備えた従来のディンプルに比べて、曲率半径Ｒ１が大きい。曲率半径Ｒ１が（Ｒ−Ｆ１）以下であると、ディンプル４に流れ込んだ空気が中央凸部７によって外へと追い出されてしまう。曲率半径Ｒ１が（２・（Ｒ−Ｆ１））以上であると、渦流が生じにくい。
【００２８】
上記数式（Ｉ）を満たすディンプル４では、（Ｒ１／（Ｒ−Ｆ１））は１．００を超えて２．００未満である。飛行性能の観点から、（Ｒ１／（Ｒ−Ｆ１））は１．１０以上１．９０以下が好ましく、１．２０以上１．８０以下が特に好ましい。
【００２９】
飛行性能の観点から、中央凸部７を備えかつ上記数式（Ｉ）を満たすディンプル４の数Ｎ１の、ディンプル総数Ｎに占める比率は、５０％以上に設定される。この比率は７０％以上が好ましく、８０％以上がより好ましく、理想的には１００％である。図２及び図３に示されたゴルフボール１では、この比率は１００％である。換言すれば、このゴルフボール１では、ＡからＤのいずれのディンプル４も、上記数式（Ｉ）を満たす。
【００３０】
図４及び図５に示されたディンプル４は、下記数式（ＩＩ）を満たす。
２．０  ≦  Ｒ１／Ｒ２  ≦  ８．０          （ＩＩ）
この数式（ＩＩ）においてＲ１は中央凸部７の曲率半径を表し、Ｒ２は側壁部９の曲率半径を表す。（Ｒ１／Ｒ２）が２．０未満であると、渦流が生じにくい。この観点から（Ｒ１／Ｒ２）は２．５以上がより好ましく、３．０以上が特に好ましい。（Ｒ１／Ｒ２）が８．０を超えると、ディンプル４の内部への空気の流れ込みが円滑でなくなる。この観点から、（Ｒ１／Ｒ２）は７．５以下がより好ましく、７．０以下が特に好ましい。
【００３１】
飛行性能の観点から、中央凸部７を備え、上記数式（Ｉ）を満たし、かつ上記数式（ＩＩ）を満たすディンプル４の数Ｎ２の、ディンプル総数Ｎに占める比率は、５０％以上が好ましく、７０％以上がより好ましく、８０％以上が特に好ましい。図２及び図３に示されたゴルフボール１では、この比率は１００％である。換言すれば、このゴルフボール１では、ＡからＤのいずれのディンプル４も、上記数式（Ｉ）及び数式（ＩＩ）を満たす。
【００３２】
渦流の発生の観点から、曲率半径Ｒ１は１５．０ｍｍ以下が好ましく、１２．０ｍｍ以下がより好ましく、１０．０ｍｍ以下が特に好ましい。金型の加工容易の観点から、曲率半径Ｒ１は１．０ｍｍ以上が好ましく、２．０ｍｍ以上がより好ましく、３．０ｍｍ以上が特に好ましい。曲率半径Ｒ３は、０．５ｍｍから５．０ｍｍ、さらには０．７ｍｍから４．０ｍｍ、特には１．０ｍｍから３．５ｍｍがこのましい。曲率半径Ｒ４は、０．１ｍｍから２．０ｍｍ、さらには０．２ｍｍから１．８ｍｍ、特には０．４ｍｍから１．５ｍｍが好ましい。
【００３３】
（ｄ１／ｄ２）は、０．５０以上０．９０以下が好ましい。（ｄ１／ｄ２）が上記範囲未満であると、渦流が生じにくい。この観点から、（ｄ１／ｄ２）は０．５５以上がより好ましく、０．６０以上が特に好ましい。（ｄ１／ｄ２）が上記範囲を越えると、ディンプル４の内部への空気の流れ込みが円滑でなくなる。この観点から、（ｄ１／ｄ２）は０．８５以下がより好ましく、０．８０以下が特に好ましい。
【００３４】
深さＦ１は、０．０５ｍｍ以上０．６０ｍｍ以下が好ましい。深さＦ１が上記範囲未満であると、ゴルフボール１がホップしやすい。この観点から、深さＦ１は０．０８ｍｍ以上がより好ましく、０．１０ｍｍ以上が特に好ましい。深さＦ１が上記範囲を越えると、ゴルフボール１がドロップしやすい。この観点から、深さＦ１は０．５５ｍｍ以下がより好ましく、０．５０ｍｍ以下が特に好ましい。
【００３５】
ディンプル４の総面積が仮想球６の表面積に占める比率は、表面積占有率と称される。表面積占有率は、７０％以上９０％以下が好ましい。表面積占有率が上記範囲未満であると、ディンプル効果が十分には得られない。この観点から、表面積占有率は７２％以上がより好ましく、７４％以上が特に好ましい。表面積占有率が上記範囲を越えると、ゴルフボール１の表面の円滑性が損なわれる。この観点から、表面積占有率は８８％以下がより好ましく、８６％以下が特に好ましい。
【００３６】
ディンプル４の面積は、無限遠からゴルフボール１の中心が見られた場合の、エッジラインに囲まれた領域の面積（すなわち平面形状の面積）である。平面形状が円形であるディンプル４の場合は、下記数式によって面積ｓが算出される。
ｓ＝（ｄ２／２）２×π
【００３７】
図１から図４に示されたゴルフボール１では、ディンプルＡの面積は１３．２０ｍｍ２であり、ディンプルＢの面積は１０．１８ｍｍ２であり、ディンプルＣの面積は９．０８ｍｍ２であり、ディンプルＤの面積は８．０４ｍｍ２である。これらディンプル４の総面積は、４６０２．０ｍｍ２である。この総面積が仮想球６の表面積で除されることにより、表面積占有率が算出される。このゴルフボール１では、表面積占有率は８０．３％である。
【００３８】
図４において仮想球６とディンプル４とに囲まれた部分の容積は、ディンプル４の容積ｖである。ディンプル４の総容積は、３００ｍｍ３以上７５０ｍｍ３以下が好ましい。総容積が上記範囲未満であると、ゴルフボール１がホップしやすい。この観点から、総容積は４００ｍｍ３以上がより好ましく、４５０ｍｍ３以上が特に好ましい。総容積が上記範囲を超えると、ゴルフボール１がドロップしやすい。この観点から、総容積は７００ｍｍ３以下がより好ましく、６５０ｍｍ３以下が特に好ましい。
【００３９】
図１から図４に示されたゴルフボール１では、ディンプルＡの容積は１．５８６ｍｍ３であり、ディンプルＢの容積は１．０８７ｍｍ３であり、ディンプルＣの容積）は０．９４２ｍｍ３であり、ディンプルＤの容積は０．７７２ｍｍ３である。このゴルフボール１の総容積は、５０８ｍｍ３である。
【００４０】
ディンプル４の総数Ｎは、２００個以上５００個以下が好ましい。総数Ｎが上記範囲未満であると、ゴルフボール１全体としてのディンプル効果が得られにくい。この観点から、総数Ｎは２４０個以上がより好ましく、２６０個以上が特に好ましい。総数Ｎが上記範囲を超えると、個々のディンプル４のサイズが小さいことに起因してディンプル効果が得られにくい。この観点から、総数Ｎは４８０個以下がより好ましく、４６０個以下が特に好ましい。
【００４１】
形成されるディンプル４は単一種類でもよく、複数種類であってもよい。円形ディンプル４に代えて、又は円形ディンプル４とともに、非円形ディンプルが形成されてもよい。非円形ディンプルの具体例としては、多角形ディンプル、楕円ディンプル、長円ディンプル及び卵形ディンプルが挙げられる。
【００４２】
曲率半径、直径、深さ、容積等のディンプル仕様は、ゴルフボール１が実測されることで求められる。エッジ近傍部１０の曲率半径Ｒ４は、ランド５と隣接する箇所において測定される。
【００４３】
図１に示されたゴルフボール１はツーピース構造であるが、マルチピースゴルフボール、糸巻きゴルフボール又はワンピースゴルフボールにおいても、適正な断面形状が設定されることにより、飛行性能が高められうる。
【００４４】
図６は、本発明の他の実施形態に係るゴルフボール１３が示された平面図である。図６では、ゴルフボール１３の表面が１０個の等価なユニットに区画された場合の１個のユニットにおいて、符号によってディンプル１４の種類が示されている。このゴルフボール１３は、直径が４．１００ｍｍであるディンプルＡ１と、直径が４．１００ｍｍであるディンプルＡ２と、直径が３．６００ｍであるディンプルＢ１と、直径が３．６００ｍであるディンプルＢ２と、直径が３．４００ｍｍであるディンプルＣ１と、直径が３．４００ｍｍであるディンプルＣ２と、直径が３．２００ｍｍであるディンプルＤ１と、直径が３．２００ｍｍであるディンプルＤ２とを備えている。ディンプルＡ１の個数は７０個であり、ディンプルＡ２の個数は６２個であり、ディンプルＢ１の個数は１００個であり、ディンプルＢ２の個数は８０個であり、ディンプルＣ１の個数は３０個であり、ディンプルＣ２の個数は３０個であり、ディンプルＤ１の個数は２０個であり、ディンプルＤ２の個数は４０個である。このゴルフボール１３のディンプル１４の総数Ｎは、４３２個である。
【００４５】
ディンプルＡ１、Ｂ１、Ｃ１及びＤ１は、図４に示されたディンプル４と同等の断面形状を備えている。換言すれば、ディンプルＡ１、Ｂ１、Ｃ１及びＤ１は中央凸部７を備えている。ディンプルＡ１、Ｂ１、Ｃ１及びＤ１は、上記数式（Ｉ）及び数式（ＩＩ）を満たす。ディンプルＡ２、Ｂ２、Ｃ２及びＤ２の断面形状は、図７に示されるようにシングルラジアスである。ディンプルＡ２、Ｂ２、Ｃ２及びＤ２では、エッジＥｄの近傍が外向きに凸であり、他の部分は内向きに凸である。図７では、エッジＥｄの近傍の曲率半径が矢印Ｒ４で示されており、他の部分の曲率半径が矢印Ｒ２で示されている。このゴルフボール１３では、中央凸部７を備えたディンプル１４の個数は、２２０個である。このゴルフボール１３では、中央凸部７を備え、上記数式（Ｉ）及び数式（ＩＩ）を満たすディンプル１４の数Ｎ２（２２０個）の、ディンプル総数Ｎ（４３２個）に占める比率は、５１％である。このゴルフボール１３では、中央凸部７を備えたディンプルＡ１、Ｂ１、Ｃ１及びＤ１により、飛行性能が高められる。
【００４６】
【実施例】
以下、実施例に基づいて本発明の効果が明らかにされるが、この実施例の記載に基づいて本発明が限定的に解釈されるべきではない。
【００４７】
［実施例１］
ソリッドゴムからなり直径が３８．４ｍｍであるコアを金型に投入し、コアの周りにアイオノマー樹脂組成物を射出してカバーを形成した。このカバーの表面に塗装を施して、図２及び図３に示されたディンプルパターンを備えた実施例１のゴルフボールを得た。このゴルフボールのディンプルの仕様が、下記の表１に示されている。このゴルフボールの外径は約４２．７０ｍｍであり、質量は約４５．４ｇである。アッティエンジニアリング社のコンプレッションテスターによって測定されたゴルフボールのコンプレッションは、約８５である。
【００４８】
［実施例２、実施例４から５及び比較例１から３］
ディンプルの仕様を下記の表１及び表２に示されるように設定した他は実施例１と同様にして、実施例２、実施例４から５及び比較例１から３のゴルフボールを得た。
【００４９】
［実施例３］
ディンプルの仕様を下記の表１に示されるように設定した他は実施例１と同様にして、図６に示されたディンプルパターンを備えた実施例３のゴルフボールを得た。
【００５０】
［比較例４］
ディンプルの仕様を下記の表２に示されるように設定した他は実施例１と同様にして、全てのディンプルがシングルラジアス形状である比較例４のゴルフボールを得た。
【００５１】
【表１】
2005006755.tif 000003
【００５２】
【表２】
2005006755.tif 000004
【００５３】
［飛距離テスト］
スイングマシン（ツルテンパー社製）に、メタルヘッドを備えたドライバー（住友ゴム工業社の「ＸＸＩＯ  Ｗ＃１」、ロフト：８°、シャフト硬度：Ｘ）を装着した。ヘッド速度が４９ｍ／ｓｅｃであり、打ち出し角度が約１１°であり、バックスピンの速度が約３０００ｒｐｍである条件でゴルフボールを打撃し、飛距離（発射地点から静止地点までの距離）を測定した。測定時は、ほぼ無風であった。２０個の測定結果の平均値が、下記の表３に示されている。
【００５４】
【表３】
2005006755.tif 000005
【００５５】
表３に示されるように、実施例のゴルフボールは比較例のゴルフボールよりも飛距離が大きい。この評価結果から、本発明の優位性は明らかである。
【００５６】
【発明の効果】
以上説明されたように、本発明のゴルフボールは飛行性能に優れる。このゴルフボールは、ゴルファーのスコアメイクに寄与する。
【図面の簡単な説明】
【図１】図１は、本発明の一実施形態に係るゴルフボールが示された一部切り欠き断面図である。
【図２】図２は、図１のゴルフボールが示された拡大平面図である。
【図３】図３は、図１のゴルフボールが示された拡大正面図である。
【図４】図４は、図１のゴルフボールの一部が示された拡大断面図である。
【図５】図５は、図４のディンプルが示された平面図である。
【図６】図６は、本発明の他の実施形態に係るゴルフボールが示された平面図である。
【図７】図７は、図６のゴルフボールの一部が示された拡大断面図である。
【図８】図８は、従来のゴルフボールのディンプルが示された平面図である。
【符号の説明】
１、１３・・・ゴルフボール
２・・・コア
３・・・カバー
４、１４・・・ディンプル
５・・・ランド
６・・・仮想球
７・・・中央凸部
８・・・凹陥部
９・・・側壁部
１０・・・エッジ近傍部
Ｅｄ・・・エッジ
【図１】
2005006755.tif 000006
【図２】
2005006755.tif 000007
【図３】
2005006755.tif 000008
【図４】
2005006755.tif 000009
【図５】
2005006755.tif 000010
【図６】
2005006755.tif 000011
【図７】
2005006755.tif 000012
【図８】
2005006755.tif 000013